(57)【要約】      （修正有）【課題】容易には陳腐化しない挨拶の動作によって、高い集客、広告及び販売促進の効果が得られる挨拶人形型広告宣伝媒体を提供する。【解決手段】二つの支柱１，２をスプリング付きの蝶番様の金具３で接続し、モーター６とギア７，８，９と紐５を配することで、モーター駆動時に片方の支柱１又は２が直立と傾斜を繰り返すことになる装置を構成し、装置表面に人体の写真などを配し、必要に応じて人体を感知するセンサー１５と音声を発する装置１７を接続することで、より高い集客、広告及び販売促進の効果が得られる。【選択図】図２
0003160330.tif 000002
【実用新案登録請求の範囲】
【請求項１】
上下二つの支柱をスプリングの付いた蝶番様の金具で接続し、上の支柱には紐の一端を取り付けた突起を取り付け、下の支柱の下部にはモーターを配し、下の支柱のモーターの上方にギアと回転体（１０）を配し、モーターの動力でギアと回転体（１０）が回るようにし、回転体（１０）の一端には自由に回転できる紐取り付け突起（１２）を配し、上の支柱に取り付けた突起に取り付けた紐の他方の端を突起（１２）に取り付け、紐の絡まりを防止するための棒で支えた滑車等を下の支柱のギア及び回転体（１０）の上方に配することで、モーターを駆動したときにその動力がギア、回転体（１０）、突起（１２）、紐、上の支柱へと順に伝わり、上の支柱が直立する・傾斜するの動作を繰り返し、装置表面に人体や動物若しくはアニメーションキャラクターなどを印刷した厚紙などを貼ったのち商品陳列棚周辺や店頭周辺に設置して稼働することで消費者の注目を集め、販売促進効果が得られることを特徴とする、挨拶人形型広告宣伝媒体。
【請求項２】
請求項１記載の挨拶人形型広告宣伝媒体と、人体の存在の有無を感知するセンサー及び当該センサーから発せられる電気信号を制御する電子回路とを配線等で接続することで、人間の存在をセンサーが感知したときに一定時間稼働することを特徴とする請求項１記載の挨拶人形型広告宣伝媒体。
【請求項３】
請求項２記載の挨拶人形型広告宣伝媒体と、録音した音声または合成した音声を再生する機能を持つ電子回路及びスピーカーとを配線等で接続することで、人間の存在をセンサーが感知したときに一定時間稼働するとともに、宣伝広告のための音声が発せられることを特徴とする請求項２記載の挨拶人形型広告宣伝媒体。
【考案の詳細な説明】
【技術分野】
【０００１】  本考案は、店舗や事務所の出入り口付近や商品陳列棚付近などに設置し、顧客に挨拶をする人形型宣伝広告媒体に関する。
【背景技術】
【０００２】  集客や販売を促進するために店舗や事務所の出入り口付近又は商品陳列棚付近に人形や看板を置くことは従来から一般的に行われてきたが、より人目を引くための工夫が大切である。【０００３】  例えば、商品陳列棚付近に小型ＤＶＤプレーヤーを設置して、宣伝広告のための映像と音を流すなどの工夫がなされている。【０００４】  また例えば、店頭付近にピエロ風の人形が太鼓をたたく動く看板や蟹の足が動く看板あるいはラーメンどんぶりから水蒸気が出る看板やラーメンどんぶりの上に位置する麺と箸が上下に動く看板を設置するなど、いろいろな工夫がされている。【０００５】  また、人形にパンチなどの衝撃を与えると、宣伝文句や挨拶の音声を発する自立型広告装置が考案されている（特許文献１）。
【先行技術文献】
【特許文献】
【０００６】
【特許文献１】  登録実用新案第３０６５７８２号公報
【考案の概要】
【考案が解決しようとする課題】
【０００７】  しかしながら、動くことなどで目立つ看板は、次第に陳腐化し、十分な広告・集客及び販売促進効果が得られなくなることもある。【０００８】  また、特許文献１の自立型広告装置は、来客者が当該装置に衝撃を与えることで、意図する広告・集客等の効果が得られるため、維持管理と耐久性に難点がある。【０００９】  本考案になる挨拶人形型宣伝広告媒体は、容易には陳腐化しない挨拶の動作により、長期にわたり十分な広告・集客・及び販売促進の効果が得られ、維持管理および耐久性にも必要かつ十分な配慮をすることを目的の一つとする。
【課題を解決するための手段】
【００１０】  人形の骨格となる支柱（１）と支柱（２）をスプリング付き蝶番様の接続金具（３）で接続する。【００１１】  支柱（１）に、紐（５）の一端を取り付けた紐取り付け突起（４）を取り付ける。【００１２】  支柱（２）に、回転軸にギア（７）を取り付けた駆動モーター（６）を取り付ける。【００１３】  支柱（２）にギア（８）と、回転体（１０）を取り付けたギア（９）とを回転軸（１１）により取り付ける。【００１４】  駆動モーター（６）の動力は、ギア（８）とギア（９）を経て回転体（１０）に伝わる。【００１５】  ［００１１］において紐取り付け突起（４）に取り付けた紐（５）の他方の端を、回転体（１０）に取り付けた回転紐取り付け突起（１２）に取り付ける。【００１６】  回転紐取り付け突起（１２）は、回転軸（１１）を中心に自由に回転することで、紐（５）が回転紐取り付け突起（１２）に絡まることを防ぐ。【００１７】  支柱（２）の上部に、紐の絡まりを防ぐための滑車等（１３）を棒（１４）によって取り付ける。【００１８】  焦電型赤外センサー等の人の動きを感知するセンサー（１５）とセンサーから発する信号を処理する電子回路（１６）を配線等により接続し、人形の外部または内部に配する。【００１９】  録音した音声または合成した音声を再生する機能を持つ電子回路とスピーカー（１７）（以下「音声装置」という。）を人形の外部または内部に配する。【００２０】  バッテリーまたはＤＣアダプターまたはＡＣアダプター（１８）（以下「電源」という。）を人形の外部または内部に配する。【００２１】  電子回路（１６）と音声装置（１７）と駆動モーター（６）と電源（１８）を配線等により接続する。【００２２】  以上のように構成することで、センサー（１５）が人の動きを感知した時に、一定時間人形が挨拶の動きをし、同時に宣伝用の音声が発せられる。
【考案の効果】
【００２３】  動く宣伝広告媒体である本考案になる挨拶人形が消費者の注意をひき、売り上げの増加につながる。
【図面の簡単な説明】
【００２４】
【図１】（ａ）は、停止時の側面略図である。接続金具（３）のスプリングの力により、停止時は人形が挨拶している状態になる。（ｂ）は、駆動モーター（６）が駆動し、人形の上体が起き上った時の側面略図である。
【図２】は、センサー（１５）と電子回路（１６）、音声装置（１７）、電源（１８）と本考案になる人形との配線等による接続を示す図である。
【符号の説明】
【００２５】  １・・・・・・・支柱１
２・・・・・・・支柱２
３・・・・・・・スプリング付き蝶番等
４・・・・・・・紐取り付け突起
５・・・・・・・紐
６・・・・・・・駆動モーター
７・・・・・・・ギア
８・・・・・・・ギア
９・・・・・・・ギア
１０・・・・・・回転体
１１・・・・・・回転軸
１２・・・・・・回転紐取り付け突起
１３・・・・・・滑車等
１４・・・・・・棒
１５・・・・・・センサー
１６・・・・・・電子回路
１７・・・・・・音声装置
１８・・・・・・電源
１９・・・・・・配線等
【考案を実施するための形態】
【００２６】  本考案になる装置の表面にスーツや様々な衣服を着用した人の写真や、動物やアニメキャラクターの写真などをプリントした厚紙などを貼りつけ、モーター（６）を駆動することにより、おじぎをする動作を繰り返し、消費者の注目を集め、販売促進に寄与する。
【００２７】  おじぎをする動作は、日本人なら容易に陳腐化しない動作と思われるため、長期にわたり販売促進効果が期待できる。
【実施例】
【００２８】  例えば商品陳列棚の脇などに本考案になる装置を設置することにより、お客様が近づいてきたことをセンサー（１５）が感知し、その後数１０秒間ないし数分間装置が動作し、同時に宣伝音声が流れる。
【産業上の利用可能性】
【００２９】  装置の表面に貼りつける厚紙などにプリントする写真や絵を変えることで、多様な商品について販売促進効果を期待でき、ゆえに本考案になる装置の満足度を高め、さらなる購買意欲を喚起し、産業の発展に寄与することができる。
【図１】
0003160330.tif 000003
【図２】
0003160330.tif 000004
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
上下二つの支柱をスプリングの付いた蝶番様の金具で接続し、上の支柱には紐の一端を取り付けた突起を取り付け、下の支柱の下部にはモーターを配し、下の支柱のモーターの上方にギアと回転体（１０）を配し、モーターの動力でギアと回転体（１０）が回るようにし、回転体（１０）の一端には自由に回転できる紐取り付け突起（１２）を配し、上の支柱に取り付けた突起に取り付けた紐の他方の端を突起（１２）に取り付け、紐の絡まりを防止するための棒で支えた滑車を下の支柱のギア及び回転体（１０）の上方に配することで、モーターを駆動したときにその動力がギア、回転体（１０）、突起（１２）、紐、上の支柱へと順に伝わり、上の支柱が直立する・傾斜するの動作を繰り返し、装置表面に人体や動物若しくはアニメーションキャラクターなどを印刷した厚紙などを貼ったのち商品陳列棚周辺や店頭周辺に設置して稼働することで消費者の注目を集め、販売促進効果が得られることを特徴とする、挨拶人形型広告宣伝媒体。
【請求項２】
人体の存在の有無を感知するセンサーを配線等で接続した当該センサーから発せられる電気信号を制御する電子回路をモーターに配線等で接続することで、人体の存在をセンサーが感知したときに一定時間稼働することを特徴とする請求項１記載の挨拶人形型広告宣伝媒体。
【請求項３】
スピーカーを配線等で接続した録音した音声または合成した音声を再生する機能を持つ電子回路と人体の存在の有無を感知するセンサーから発せられる電気信号を制御する電子回路を配線等で接続することで、人体の存在をセンサーが感知したときに一定時間稼働するとともに、宣伝広告のための音声が発せられることを特徴とする請求項２記載の挨拶人形型広告宣伝媒体。